(57)【要約】【課題】本発明は、発熱体収納装置用冷却装置とそれを用いた発熱体収納装置に関するもので、大幅にコストダウンし、電気的ノイズ耐性を施した系統電圧の判断結果を報知できる発熱体収納装置用冷却装置を提供することを目的とする。【解決手段】制御装置１５は、第１系統電圧判定値２２および第２系統電圧判定値２４を第１タイマー２６および第２タイマー２７を用いて時間管理で発熱体収納装置から供給される直流電圧Ｖ１を監視しながらこの直流電源Ｖ１の第１系統電圧および第２系統電圧を判断して、この系統電圧に応じた発熱体収納装置用冷却装置６の第１の送風ファン１２および第２の送風ファン１３を最適に運転させることができる。【選択図】図４
2010147372.tif 000002
【特許請求の範囲】
【請求項１】
第１環境用の第１吸気口と第１吐出口および第２環境用の第２吸気口および第２吐出口を有する本体ケースと、この本体ケース内に設けられた第１環境用の第１の送風ファンおよび第２環境用の第２の送風ファンと、前記本体ケース内において第１環境の空気と第２環境の空気との熱交換を行う熱交換器と、前記第１、第２の送風ファンの制御を行う制御装置を備え、前記制御装置は、発熱体収納装置より供給される電源電圧の複数の系統電圧の一つである第１系統電圧を検出してこの第１系統電圧に応じて第１、第２の送風ファンを制御し、また前記複数の系統電圧の他方である第２系統電圧を検出して、この第２系統電圧に応じて第１、第２の送風ファンを制御することを特徴とした発熱体収納装置用冷却装置。
【請求項２】
第１系統電圧を判定する第１系統電圧判定値および第２系統電圧を判定する第２系統電圧判定値にヒステリシスを設けて複数の系統電圧を判定することを特徴とする請求項１記載の発熱体収納装置用冷却装置。
【請求項３】
一旦、第１系統電圧判定値を検出し予め設定した時間が経過した後に再び第１系統電圧判定値を判断することにより第１系統電圧を判定する第１系統電圧判定手段を設け、また、一旦、第２系統電圧判定値を検出し予め設定した時間が経過した後に再び第２統電圧判定値を判断することにより第２系統電圧を判定する第２系統電圧判定手段を設けたことにより、電源電圧の安定した状態で複数の系統電圧を判定することを特徴とする請求項１記載の発熱体収納装置用冷却装置。
【請求項４】
第１系統電圧を検出する手段として電源電圧とこの電源電圧から生成した比較器用安定化電源から作られた基準電圧となる第１系統電圧判定値とを比較する第１比較器からなる第１系統電圧比較判定手段を設け、また、第２系統電圧を検出する手段として電源電圧と前記比較器用安定化電源から作られた基準電圧となる第２系統電圧判定値とを比較する第２比較器からなる第２系統電圧比較判定手段を設けて、複数の系統電圧を判定することを特徴とする請求項１乃至３のいずれかに記載の発熱体収納装置用冷却装置。
【請求項５】
第１系統電圧を検出する手段として、電源電圧とこの電源電圧から生成した比較器用安定化電源から作られた基準電圧となる第１系統電圧下限判定値とを比較する第１下限電圧比較器と、電源電圧と前記比較器用安定化電源から作られた基準電圧となる第１系統電圧上限判定値とを比較する第１上限電圧比較器からなる第１系統電圧比較判定手段を設け、また、第２系統電圧を検出する手段として、電源電圧と前記比較器用安定化電源から作られた基準電圧となる第２系統電圧下限判定値とを比較する第２下限電圧比較器と、電源電圧と前記比較器用安定化電源から作られた基準電圧となる第２系統電圧上限判定値とを比較する第２上限電圧比較器からなる第２系統電圧比較判定手段を設けて、複数の系統電圧を判定することを特徴とする請求項１乃至３のいずれかに記載の発熱体収納装置用冷却装置。
【請求項６】
第１系統電圧を検出する第１系統電圧検出回路と第１系統電圧判定値を判断する判断回路との間に第１絶縁素子を設け、また、第２系統電圧を検出する第２系統電圧検出回路と第２系統電圧判定値を判断する前記判断回路との間に第２絶縁素子を設けて、複数の系統電圧を判定することを特徴とする請求項１乃至４のいずれかに記載の発熱体収納装置用冷却装置。
【請求項７】
電源電圧を第１電源系統電圧あるいは第２電源系統電圧と判断したことを明示するための報知手段を設けたことを特徴とする請求項１乃至６のいずれかに記載の発熱体収納装置用冷却装置。
【発明の詳細な説明】
【技術分野】
【０００１】
本発明は、発熱体収納装置に関するものである。
【背景技術】
【０００２】
例えば、発熱体収納装置用冷却装置を用いた発熱体収納装置としては携帯電話の基地局があり、この基地局内部に数十アンペア以上の電流が流れる通信装置を複数台設け、発生する熱をファンで冷却する構成をしていた。
【０００３】
そして、この発熱体収納装置では、外部電源を直流電源に変換し、その電圧で前記通信装置とファンを駆動するようにしていた（これに類似する先行文献としては特許文献１を参照）。
【特許文献１】特開２０００−１６１８７５号公報
【発明の開示】
【発明が解決しようとする課題】
【０００４】
上記従来の発熱体収納装置においては、携帯電話の基地局内に設置される通信装置の種類に応じて外部電源より生成される直流電源の系統電圧が異なり、内部を冷却するファンを制御する制御基板をその電圧に合わせて複数用意していた。
【０００５】
また、このような発熱体収納装置では、先にも記載したように内部に設けた通信装置では携帯電話の通信量に応じて数十アンペア以上流れる電流が変動し、この電流の変動により基地局内に供給される通信装置や発熱体収納装置用冷却装置の直流電源の電圧に変動が生じ直流電圧に重畳されるリプル電圧、あるいは、通信装置が１ＧＨｚや２．５ＧＨｚといった数ＧＨｚもの高周波信号を処理する際に止むを得ず発生する高周波成分の電気的ノイズによって、発熱体収納装置用冷却装置の電源線に発生する高周波成分の誘起電圧といった電気的ノイズにより、発熱体収納装置用冷却装置が誤動作し、冷却性能が悪化することの無い様、冷却動作の継続性が求められている。
【０００６】
また、基地局の設置時において、該当する基地局の直流電圧系統を正しく認識したことも施工時などの作業者などが知ることも求められている。
【０００７】
このような発熱体収納装置へ設置する冷却装置を製作しようとする場合、複数の直流電圧に対応できるように制御基板を共用化することで非常に大幅なコストダウンができる。
【０００８】
また、電気的ノイズの耐性を持たせた回路を提供することで、継続的な冷却動作を提供することができる。
【０００９】
また、対応した直流電源の系統電圧の判断結果を報知することで正しく直流電源の系統電圧を判断しているのか施工時などの作業者が認知することができる。
【００１０】
そこで、本発明は、大幅にコストダウンし、電気的ノイズ耐性を施すことにより継続的な冷却性能を維持し、直流電源の系統電圧の判断結果を報知することにより直流電源の系統電圧の判断結果を認知できる発熱体収納装置用冷却装置を提供することを目的とするものである。
【課題を解決するための手段】
【００１１】
そして、この目的を達成するめに本発明は、第１環境用の第１吸気口と第１吐出口および第２環境用の第２吸気口および第２吐出口を有する本体ケースと、この本体ケース内に設けられた第１環境用の第１の送風ファンおよび第２環境用の第２の送風ファンと、前記本体ケース内において第１環境の空気と第２環境の空気との熱交換を行う熱交換器と、前記第１、第２の送風ファンの制御を行う制御装置を備え、前記制御装置は、発熱体収納装置より供給される電源電圧の複数の系統電圧の一つである第１系統電圧を検出してこの第１系統電圧に応じて第１、第２の送風ファンを制御し、また前記複数の系統電圧の他方である第２系統電圧を検出して、この第２系統電圧に応じて第１、第２の送風ファンを制御することを特徴としたものであり、これにより、簡単な構成で複数の直流電圧値を検知することができる制御装置を備えることができ、制御装置を共用化して複数の直流電圧に対応できるようにすることができる。
【００１２】
また、第１系統電圧を判定する第１系統電圧判定値および第２系統電圧を判定する第２系統電圧判定値にヒステリシスを設けて複数の系統電圧を判定することを特徴とするもので、直流電源に重畳された電気的ノイズの耐性を持たせた回路を提供することで、継続的な冷却動作を提供することができる。
【００１３】
また、一旦、第１系統電圧判定値を検出し予め設定した時間が経過した後に再び第１系統電圧判定値を判断することにより第１系統電圧を判定する第１系統電圧判定手段を設け、また、一旦、第２系統電圧判定値を検出し予め設定した時間が経過した後に再び第２統電圧判定値を判断することにより第２系統電圧を判定する第２系統電圧判定手段を設けたことにより、電源電圧の安定した状態で複数の系統電圧を判定することを特徴とするもので、直流電源に重畳されたあるいは誘起された電気的ノイズの耐性を持たせた回路を提供することで、継続的な冷却動作を提供することができる。
【００１４】
また、第１系統電圧を検出する手段として電源電圧とこの電源電圧から生成した比較器用安定化電源から作られた基準電圧となる第１系統電圧判定値とを比較する第１比較器からなる第１系統電圧比較判定手段を設け、また、第２系統電圧を検出する手段として電源電圧と前記比較器用安定化電源から作られた基準電圧となる第２系統電圧判定値とを比較する第２比較器からなる第２系統電圧比較判定手段を設けて、複数の系統電圧を判定することを特徴とするもので、直流電源に重畳されたあるいは誘起された電気的ノイズの耐性を持たせた回路を提供することで、継続的な冷却動作を提供することができる。
【００１５】
また、第１系統電圧を検出する手段として、電源電圧とこの電源電圧から生成した比較器用安定化電源から作られた基準電圧となる第１系統電圧下限判定値とを比較する第１下限電圧比較器と、電源電圧と前記比較器用安定化電源から作られた基準電圧となる第１系統電圧上限判定値とを比較する第１上限電圧比較器からなる第１系統電圧比較判定手段を設け、また、第２系統電圧を検出する手段として、電源電圧と前記比較器用安定化電源から作られた基準電圧となる第２系統電圧下限判定値とを比較する第２下限電圧比較器と、電源電圧と前記比較器用安定化電源から作られた基準電圧となる第２系統電圧上限判定値とを比較する第２上限電圧比較器からなる第２系統電圧比較判定手段を設けて、複数の系統電圧を判定することを特徴とするもので、直流電源に重畳されたあるいは誘起された電気的ノイズの耐性を持たせた回路を提供することで、継続的な冷却動作を提供することができる。
【００１６】
また、第１系統電圧を検出する第１系統電圧検出回路と第１系統電圧判定値を判断する判断回路との間に第１絶縁素子を設け、また、第２系統電圧を検出する第２系統電圧検出回路と第２系統電圧判定値を判断する前記判断回路との間に第２絶縁素子を設けて、複数の系統電圧を判定することを特徴とするもので、直流電源に重畳されたあるいは誘起された電気的ノイズの耐性を持たせた回路を提供することで、継続的な冷却動作を提供することができる。
【００１７】
また、電源電圧を第１電源系統電圧あるいは第２電源系統電圧と判断したことを明示するための報知手段を設けたことを特徴とするもので、設置した基地局の直流電源の系統電圧を報知することで正しく直流電源の系統電圧を判断しているのか施工時などの作業者が認知することができる。
【発明の効果】
【００１８】
以上のように本発明は、第１環境用の第１吸気口と第１吐出口および第２環境用の第２吸気口および第２吐出口を有する本体ケースと、この本体ケース内に設けられた第１環境用の第１の送風ファンおよび第２環境用の第２の送風ファンと、前記本体ケース内において第１環境の空気と第２環境の空気との熱交換を行う熱交換器と、前記第１、第２の送風ファンの制御を行う制御装置を備え、前記制御装置は、発熱体収納装置より供給される電源電圧の複数の系統電圧の一つである第１系統電圧を検出してこの第１系統電圧に応じた第１、第２の送風ファンを制御し、また前記複数の系統電圧の他方である第２系統電圧を検出して、この第２系統電圧に応じて第１、第２の送風ファンを制御することを特徴としたものであり、これにより、簡単な構成で複数の直流電圧値を検知することができる制御装置を備えることができ、制御装置を共用化して複数の直流電圧に対応できる。
【００１９】
また、第１系統電圧を判定する第１系統電圧判定値および第２系統電圧を判定する第２系統電圧判定値にヒステリシスを設けて複数の系統電圧を判定することを特徴とするもので、直流電源に重畳されたあるいは誘起された電気的ノイズの耐性を持たせた回路を提供することで、継続的な冷却動作を提供することができる。
【００２０】
また、一旦、第１系統電圧判定値を検出し予め設定した時間が経過した後に再び第１系統電圧判定値を判断することにより第１系統電圧を判定する第１系統電圧判定手段を設け、また、一旦、第２系統電圧判定値を検出し予め設定した時間が経過した後に再び第２統電圧判定値を判断することにより第２系統電圧を判定する第２系統電圧判定手段を設けたことにより、電源電圧の安定した状態で複数の系統電圧を判定することを特徴とするもので、直流電源に重畳されたあるいは誘起された電気的ノイズの耐性を持たせた回路を提供することで、継続的な冷却動作を提供することができる。
【００２１】
また、第１系統電圧を検出する手段として電源電圧とこの電源電圧から生成した比較器用安定化電源から作られた基準電圧となる第１系統電圧判定値とを比較する第１比較器からなる第１系統電圧比較判定手段を設け、また、第２系統電圧を検出する手段として電源電圧と前記比較器用安定化電源から作られた基準電圧となる第２系統電圧判定値とを比較する第２比較器からなる第２系統電圧比較判定手段を設けて、複数の系統電圧を判定することを特徴とするもので、直流電源に重畳されたあるいは誘起された電気的ノイズの耐性を持たせた回路を提供することで、継続的な冷却動作を提供することができる。
【００２２】
また、第１系統電圧を検出する手段として、電源電圧とこの電源電圧から生成した比較器用安定化電源から作られた基準電圧となる第１系統電圧下限判定値とを比較する第１下限電圧比較器と、電源電圧と前記比較器用安定化電源から作られた基準電圧となる第１系統電圧上限判定値とを比較する第１上限電圧比較器からなる第１系統電圧比較判定手段を設け、また、第２系統電圧を検出する手段として、電源電圧と前記比較器用安定化電源から作られた基準電圧となる第２系統電圧下限判定値とを比較する第２下限電圧比較器と、電源電圧と前記比較器用安定化電源から作られた基準電圧となる第２系統電圧上限判定値とを比較する第２上限電圧比較器からなる第２系統電圧比較判定手段を設けて、複数の系統電圧を判定することを特徴とするもので、直流電源に重畳されたあるいは誘起された電気的ノイズの耐性を持たせた回路を提供することで、継続的な冷却動作を提供することができる。
【００２３】
また、第１系統電圧を検出する第１系統電圧検出回路と第１系統電圧判定値を判断する判断回路との間に第１絶縁素子を設け、また、第２系統電圧を検出する第２系統電圧検出回路と第２系統電圧判定値を判断する前記判断回路との間に第２絶縁素子を設けて、複数の系統電圧を判定することを特徴とするもので、直流電源に重畳されたあるいは誘起された電気的ノイズの耐性を持たせた回路を提供することで、継続的な冷却動作を提供することができる。
【００２４】
また、電源電圧を第１電源系統電圧あるいは第２電源系統電圧と判断したことを明示するための報知手段を設けたことを特徴とするもので、設置した基地局の直流電源の系統電圧を報知することで正しく直流電源の系統電圧を判断しているのか施工時などの作業者が認知することができる。
【発明を実施するための最良の形態】
【００２５】
本発明の請求項１記載の発明は、第１環境用の第１吸気口と第１吐出口および第２環境用の第２吸気口および第２吐出口を有する本体ケースと、この本体ケース内に設けられた第１環境用の第１の送風ファンおよび第２環境用の第２の送風ファンと、前記本体ケース内において第１環境の空気と第２環境の空気との熱交換を行う熱交換器と、前記第１、第２の送風ファンの制御を行う制御装置を備え、前記制御装置は、発熱体収納装置より供給される電源電圧の複数の系統電圧の一つである第１系統電圧を検出してこの第１系統電圧に応じた第１、第２の送風ファンを制御し、また前記複数の系統電圧の他方である第２系統電圧を検出して、この第２系統電圧に応じて第１、第２の送風ファンを制御することを特徴としたものであり、制御装置は前記第１系統電圧および第２系統電圧を判別して直流電源の系統電圧を監視しながら送風ファンをそれぞれの系統電圧に応じた動作をさせるという作用を有する。
【００２６】
また、請求項２記載の発明は、第１系統電圧を判定する第１系統電圧判定値および第２系統電圧を判定する第２系統電圧判定値にヒステリシスを設けて複数の系統電圧を判定することを特徴とするものであり、判定値にヒステリシスを設けたので直流電源に重畳されたあるいは誘起された電気的ノイズに惑わされることなく系統電圧の判定ができるという作用を有する。
【００２７】
また、請求項３記載の発明は、一旦、第１系統電圧判定値を検出し予め設定した時間が経過した後に再び第１系統電圧判定値を判断することにより第１系統電圧を判定する第１系統電圧判定手段を設け、また、一旦、第２系統電圧判定値を検出し予め設定した時間が経過した後に再び第２統電圧判定値を判断することにより第２系統電圧を判定する第２系統電圧判定手段を設けたことにより、電源電圧の安定した状態で複数の系統電圧を判定することを特徴とするものであり、時間をかけることにより直流電源の電圧が安定した状態で直流電源に重畳されたあるいは誘起された電気的ノイズに惑わされることなく系統電圧の判定ができるという作用を有する。
【００２８】
また、請求項４記載の発明は、第１系統電圧を検出する手段として電源電圧とこの電源電圧から生成した比較器用安定化電源から作られた基準電圧となる第１系統電圧判定値とを比較する第１比較器からなる第１系統電圧比較判定手段を設け、また、第２系統電圧を検出する手段として電源電圧と前記比較器用安定化電源から作られた基準電圧となる第２系統電圧判定値とを比較する第２比較器からなる第２系統電圧比較判定手段を設けて、複数の系統電圧を判定することを特徴とするものであり、直流電源に重畳されたあるいは誘起された電気的ノイズに惑わされることなく精度の高い直流電源の系統電圧の判定ができるという作用を有する。
【００２９】
また、請求項５記載の発明は、第１系統電圧を検出する手段として、電源電圧とこの電源電圧から生成した比較器用安定化電源から作られた基準電圧となる第１系統電圧下限判定値とを比較する第１下限電圧比較器と、電源電圧と前記比較器用安定化電源から作られた基準電圧となる第１系統電圧上限判定値とを比較する第１上限電圧比較器からなる第１系統電圧比較判定手段を設け、また、第２系統電圧を検出する手段として、電源電圧と前記比較器用安定化電源から作られた基準電圧となる第２系統電圧下限判定値とを比較する第２下限電圧比較器と、電源電圧と前記比較器用安定化電源から作られた基準電圧となる第２系統電圧上限判定値とを比較する第２上限電圧比較器からなる第２系統電圧比較判定手段を設けて、複数の系統電圧を判定することを特徴とするものであり、それぞれの系統電圧の判定値に幅を持たせたことにより直流電源に重畳されたあるいは誘起された電気的ノイズに惑わされることなく系統電圧の判定ができるという作用を有する。
【００３０】
また、請求項６記載の発明は、第１系統電圧を検出する第１系統電圧検出回路と第１系統電圧判定値を判断する判断回路との間に第１絶縁素子を設け、また、第２系統電圧を検出する第２系統電圧検出回路と第２系統電圧判定値を判断する前記判断回路との間に第２絶縁素子を設けて、複数の系統電圧を判定することを特徴とするものであり、直流電源を直接監視する検出回路と絶縁された判断回路を設けることにより、直流電源に重畳されたあるいは誘起された電気的ノイズの耐性を持たせて系統電圧の判定ができるという作用を有する。
【００３１】
また、請求項７記載の発明は、電源電圧を第１電源系統電圧あるいは第２電源系統電圧と判断したことを明示するための報知手段を設けたことを特徴とするものであり、設置した基地局の直流電源の系統電圧の判断結果を報知することができるので正しく直流電源の系統電圧を判断しているのか施工時などの作業者が認知することができるという作用を有する。
【００３２】
以下、本発明の実施の形態について図面を参照しながら説明する。
【００３３】
（実施の形態１）
図１において、ビルディング１の屋上２には携帯電話の基地局３が設けられている。携帯電話の基地局３は箱状のキャビネット４とこのキャビネット４内に設けた複数の通信装置５と前記キャビネット４の前面開口部にドアのごとく開閉自在に設けた発熱体収納装置用冷却装置６とにより構成されている。
【００３４】
前記発熱体収納装置用冷却装置６は、図２に示すように、外気（第１環境）用の第１吸気口７と第１吐出口８およびキャビネット４内（第２環境）用の第２吸気口９および第２吐出口１０を有する本体ケース１１と、この本体ケース１１内に設けられた外気（第１環境）用の第１の送風ファン１２およびキャビネット４内（第２環境）用の第２の送風ファン１３と、前記本体ケース１１内において外気（第１環境）の空気とキャビネット４内（第２環境）の空気との熱交換を行う熱交換器１４とを備えている。
【００３５】
また、発熱体収納装置用冷却装置６は、第１の送風ファン１２と第２の送風ファン１３を制御する制御装置１５を備えている。
【００３６】
また、図３に示すように、送風ファンとしての第１の送風ファン１２と第２の送風ファン１３は制御装置１５に接続され、制御装置１５は、前記通信装置５とともにキャビネット４に供給される外部電源１６を変換した直流電源１７に接続される。
【００３７】
そして、制御装置１５は、第１の送風ファン１２と第２の送風ファン１３を別々に運転させるインバーター１８と、これらインバーター１８を制御するメイン基板１９とから構成される。
【００３８】
メイン基板１９は、図４に示すようにインバーター１８へ運転指示を行う運転指示手段２０と、直流電源１７の直流電圧Ｖ１を監視して、運転指示手段２０を動作させる電圧監視手段２１とから構成される。
【００３９】
そして、同図に示すように、電圧監視手段２１は、直流電源１７の直流電圧Ｖ１として第１系統電圧を検出して第１の送風ファン１２と第２の送風ファン１３を動作させる閾値としての第１系統電圧判定値２２を有する検出回路として第１検出回路２３と、第２系統電圧を検出して第１の送風ファン１２と第２の送風ファン１３を動作させる閾値としての第２系統電圧判定値２４を有する検出回路として第２検出回路２５に接続される。
【００４０】
また、電圧監視手段２１は、前記第１系統電圧判定値２２に反応して動作した第１検出回路２３に連動して動作する第１タイマー２６と前記第２系統電圧判定値２４に反応して動作した第２検出回路２５に連動して動作する第２タイマー２７とを有し、電圧判定手段２８を経由して供給される直流電圧Ｖ１、すなわち系統電圧を判別する系統電圧判断手段２９に接続され、その判別に応じて、運転指示手段２０への指示を出すソフトウェア切り換え手段３０を有するものである。
【００４１】
また、図５に示すように、第１検出回路２３、第２検出回路２５は、それぞれ直流電源１７を二つの抵抗器で分圧して入力するシャントレギュレーター３１、３２とその出力に接続した第１絶縁素子、第２絶縁素子としてのフォトカプラ３３、３４で構成し、「Ｈｉ」「Ｌｏ」の信号を電圧監視手段２１へ送信するように構成するものである。
【００４２】
すなわち、第１検出回路２３は、第１系統電圧判定値２２が前記二つの抵抗器に印加されたときにシャントレギュレーター３１の閾値２．５Ｖを越えるように抵抗器の分圧比を設定したもので、その閾値を越えたときにシャントレギュレーター３１の出力は、「Ｌｏ」となり、フォトカプラ３３の入力側の発光ダイオード点灯させるものである。そして、電圧監視手段２１へ「Ｌｏ」の信号を伝達するように構成する。同様に、第２検出回路２５は、第２系統電圧判定値２４が前記二つの抵抗器に印加されたときにシャントレギュレーター３２の閾値２．５Ｖを越えるように抵抗器の分圧比を設定したもので、その閾値を越えたときにシャントレギュレーター３２の出力は、「Ｌｏ」となり、フォトカプラ３４の入力側の発光ダイオード点灯させるものである。そして、電圧監視手段２１へ「Ｌｏ」の信号を伝達するように構成する。
【００４３】
そして、一般に直流電源１７の電圧は、系統電圧として２４Ｖと４８Ｖが用いられることから、本実施の形態では、その一方である第１系統電圧を２４Ｖとし、その他方である第２系統電圧を４８Ｖとして、第１系統電圧判定値２２を１７Ｖ、第２系統電圧判定値２４を３７Ｖとしている。
【００４４】
上記構成において、図６（ａ）に示すように直流電源１７の投入により直流電圧Ｖ１が上昇してくると第１検出回路２３の出力が第１系統電圧判定値２２の１７Ｖを超えて「Ｈｉ」から「Ｌｏ」に転じる。更に上昇を続けるが、例えば電源投入による各通信機器の動作により負荷変動などで、一旦、直流電圧Ｖ１が減少となり第１系統電圧判定値２２の１７Ｖを下回ると「Ｌｏ」から「Ｈｉ」に戻り、再び直流電圧Ｖ１が上昇し第１系統電圧判定値２２の１７Ｖを超えると「Ｈｉ」から「Ｌｏ」に再び転じ、以降、第１系統電圧判定値２２の１７Ｖを下回らない限り、第１検出回路２３の出力は「Ｌｏ」を維持する。一方、第２検出回路２５の出力は、第２系統電圧判定値２４の３７Ｖを超えるまでは「Ｈｉ」を維持し、超えると「Ｌｏ」に転じる。その後、直流電圧Ｖ１が第２系統電圧判定値２４の３７Ｖを下回ると第２検出回路２５の出力は「Ｈｉ」となり、再び直流電圧Ｖ１が上昇し第２系統電圧判定値２４の３７Ｖを超えると「Ｈｉ」から「Ｌｏ」に再び転じ、以降、第２系統電圧判定値２４の３７Ｖを下回らない限り、第２検出回路２５の出力は「Ｌｏ」を維持する。
【００４５】
ここで、図６（ａ）に示すＡ部、すなわち直流電圧Ｖ１が第１系統電圧判定値２２を超える際に起こる第１検出回路２３の出力の変化について詳細な説明を付け加えると、通信装置５では携帯電話の通信量に応じて数十アンペア以上流れる電流が変動し、この電流の変動により基地局内に供給される通信装置５や発熱体収納装置用冷却装置６の直流電源Ｖ１の電圧に変動が生じ直流電圧に重畳されるリプル電圧、あるいは、通信装置が１ＧＨｚや２．５ＧＨｚといった数ＧＨｚもの高周波信号を処理する際に止むを得ず発生する高周波成分の電気的ノイズにより発熱体収納装置用冷却装置の電源線に発生する高周波成分の誘起電圧といった電気的ノイズにより、図６（ｂ）に示すＡ部の拡大図のように、直流電圧Ｖ１は脈動してしまう。そのため、短い期間に第１系統電圧判定値２２を超えたり下回ったりして、第１検出回路２３の出力は「Ｈｉ」と「Ｌｏ」を交互に頻繁に繰り返しているので、「Ｈｉ」から「Ｌｏ」あるいは「Ｌｏ」から「Ｈｉ」の論理の変化が発生する。そこで本実施の形態のように第１のタイマー２６により予め設定した時間Ｔ１（ここでは１秒とする）後に、第１検出回路２３の出力を電圧判定手段２８にて確認し、「Ｈｉ」であれば第１系統電圧判定値２２を下回っている、「Ｌｏ」であれば第１系統電圧判定値２２を超えていると判定することが極めて有効である。また、図６（ａ）に示すＢ部、すなわち直流電圧Ｖ１が第１系統電圧判定値２２を超える際に起こる第１検出回路２３の出力の変化についても同様に判定をすることなる。
【００４６】
同様に、第２系統電圧判定値２４を超えるＣ部と第２系統電圧判定値２４を下回わるＤ部でも、図６（ｃ）に示すように直流電圧Ｖ１が脈動する現象が発生するので、第２タイマー２７により予め設定した時間Ｔ１（ここでは１秒とする）後に、第２検出回路２５の出力を電圧判定手段２８にて確認し、「Ｈｉ」であれば第２系統電圧判定値２４を下回っている、「Ｌｏ」であれば第２系統電圧判定値２４を超えていると判定することが有効である。
【００４７】
上述の状態において、第１検出回路２３の出力の判定が「Ｌｏ」で第２検出回路２５の出力の判定が「Ｈｉ」の場合に、この直流電源Ｖ１は第１系統電圧の２４Ｖであると系統電圧判断手段２９で判断される。また、第１検出回路２３の出力の判定が「Ｌｏ」で第２検出回路２５の出力の判定が「Ｌｏ」の場合に、この直流電源Ｖ１は第２系統電圧の４８Ｖであると系統電圧判断手段２９で判断される。
【００４８】
そして、系統電圧判断手段２９の判断による第１系統電圧の２４Ｖあるいは第２系統電圧の４８Ｖに応じて、前記ソフトウェア切り換え手段３０によりインバーター１８の駆動用ソフトウェア（図示せず）を第１統電圧の２４Ｖあるいは第２系統電圧の４８Ｖに応じたソフトウェアに切り換えて、第１の送風ファン１２および第２の送風ファン１３を第１系統電圧の２４Ｖあるいは第２系統電圧の４８Ｖに応じた最適な駆動を行う。
【００４９】
以上、本実施形態においては、上述したごとく、第１検出回路２３および第２検出回路２５の出力の論理が変化すると予め設定した時間が経過した後に、直流電圧Ｖ１が安定した状態で系統電圧を正しく判断する簡単な構成で複数の系統電圧を検知する制御装置を備えることができるので、制御装置を複数の系統電圧にて共用することが可能となり大幅にコストダウンした発熱体収納装置用冷却装置を提供でき、また、直流電圧Ｖ１が安定した状態で系統電圧を正しく判断することで直流電圧Ｖ１に重畳されたリプル電圧あるいは発生する高周波成分の誘起電圧といった電気的ノイズの影響を受け難い電気的ノイズの耐性を持たせた回路とすることで、発熱体収納装置用冷却装置６の継続的な冷却動作を提供することができ、さらに、絶縁素子としてフォトカプラを使用したことにより電気的ノイズの耐性を持たせた回路を合わせて提供することができる。
【００５０】
なお、本実施の形態のように系統電圧が一方の２４Ｖと他方の４８Ｖの二つに対応するためにインバーター１８の許容電流値が一方に対して他方が１／２倍となることから、インバータ−１８を含めた共用化が難しい場合もある。そのような場合は、制御装置１５はインバータ−１８とそれを制御するメイン基板１９とから構成されているので、メイン基板１９のみを共用化して複数の系統電圧に対応することもでき、同様にコストダウンを図ることができる。この場合、実装されているインバーター１８が系統電圧２４Ｖ専用では、直流電源Ｖ１の系統電圧が４８Ｖと判断されると、前記ソフトウェア切り換え手段３０によりインバーター１８の運転を中止するとともにインバーター１８への給電をリレー（図示せず）などにより遮断し、インバーター１８の破壊を防ぎ、また、実装されているインバーター１８が系統電圧４８Ｖ専用では、直流電源Ｖ１の系統電圧が２４Ｖと判断されると、前記ソフトウェア切り換え手段３０によりインバーター１８の運転を中止し、インバーター１８の破壊を防げば良い。
【００５１】
（実施の形態２）
実施の形態１と同一構成部分については、理解を容易にするために、同一符号を用い、その詳細な説明を簡略化する。
【００５２】
図７に示すように、電圧監視手段２１に第１検出回路２３および第２検出回路２５の出力が接続され、この電圧監視手段２１は、供給される直流電圧Ｖ１、すなわち系統電圧を判別する系統電圧判断手段２９に接続され、その判別に応じて、運転指示手段２７への指示を出すソフトウェア切り換え手段３０を有するものである。
【００５３】
また、図８に示すように、第１検出回路２３、第２検出回路２５は、それぞれ直流電源１７を二つの抵抗器で分圧して入力される第１比較器３５および第２比較器３６とその基準電圧すなわち第１系統電圧判定値２２と第２系統電圧判定値２４が直流電源１７に接続したＤＣ／ＤＣコンバーター３７により生成された前記第１比較器３５および第２比較器３６の比較器用安定化電源（ここでは＋１２Ｖ）３７と前記第１比較器３５および第２比較器３６の出力との間に設けた二つの抵抗器により分圧して前記第１比較器３５および第２比較器３６に入力され、これら第１比較器３５および第２比較器３６の出力に接続した第１絶縁素子、第２絶縁素子としてのフォトカプラ３３、３４で構成し、「Ｈｉ」「Ｌｏ」の信号を電圧監視手段２１へ送信するように構成するものである。ここで、前記第１比較器３５および第２比較器３６の出力と動作電圧（ここでは＋１２Ｖ）との間に二つの抵抗器を用いて基準電圧を設けたのは前記第１比較器３５および第２比較器３６の基準電圧にヒステリシスを設けるためで、本実施例では例えば１Ｖとして説明する。
【００５４】
すなわち、第１検出回路２３は、第１系統電圧判定値２２が前記直流電源１７に接続された二つの抵抗器に印加されたときに前記第１比較器３５の基準電圧を超えるように抵抗器の分圧比を設定したもので、その閾値を越えたときに第１比較器３５の出力は、「Ｌｏ」となり、フォトカプラ３３の入力側の発光ダイオード点灯させるものである。そして、電圧監視手段２１へ「Ｌｏ」の信号を伝達するように構成する。同様に第２検出回路２５は、第２系統電圧判定値２４が前記直流電源１７に接続された二つの抵抗器に印加されたときに前記第２比較器３６の基準電圧を超えるように抵抗器の分圧比を設定したもので、その閾値を越えたときに第２比較器３６の出力は、「Ｌｏ」となり、フォトカプラ３４の入力側の発光ダイオード点灯させるものである。そして、電圧監視手段２１へ「Ｌｏ」の信号を伝達するように構成する。
【００５５】
上記構成において、図９（ａ）に示すように直流電源１７の投入により直流電圧Ｖ１が上昇してくると第１検出回路２３の出力が第１系統電圧判定値２２の１７Ｖを超えて「Ｈｉ」から「Ｌｏ」に転じる。更に上昇を続けるが、例えば電源投入による各通信機器の動作により負荷変動などで、一旦、直流電圧Ｖ１が減少となり第１系統電圧判定値２２の１７Ｖにヒステリシス１Ｖを減じた１６Ｖを下回ると「Ｌｏ」から「Ｈｉ」に戻り、再び直流電圧Ｖ１が上昇し第１系統電圧判定値２２の１７Ｖを超えると「Ｈｉ」から「Ｌｏ」に再び転じ、以降、第１系統電圧判定値２２の１７Ｖを下回らない限り、第１検出回路２３の出力は「Ｌｏ」を維持する。一方、第２検出回路２５の出力は、第２系統電圧判定値２４の３７Ｖを超えるまでは「Ｈｉ」を維持し、超えると「Ｌｏ」に転じる。その後、直流電圧Ｖ１が第２系統電圧判定値２４の３７Ｖにヒステリシス１Ｖを減じた３６Ｖを下回ると第２検出回路２５の出力は「Ｈｉ」となり、再び直流電圧Ｖ１が上昇し第２系統電圧判定値２４の３７Ｖを超えると「Ｈｉ」から「Ｌｏ」に再び転じ、以降、第２系統電圧判定値２４の３７Ｖを下回らない限り、第２検出回路２５の出力は「Ｌｏ」を維持する。
【００５６】
ここで、図９（ａ）に示すＡ部、すなわち直流電圧Ｖ１が第１系統電圧判定値２２を超える際に起こる第１検出回路２３の出力の変化について詳細な説明を付け加えると、図９（ｂ）に示すＡ部の拡大図のように、脈動した直流電圧Ｖ１の第１系統電圧判定値２２を超えて第１検出回路２３の出力が「Ｈｉ」と「Ｌｏ」に転じるが第１比較器３５のヒステリシスにより第１系統電圧判定値２２を１Ｖ以上下回らないために第１検出回路２３の出力に変化が生じない。同様に図９（ｂ）に示すＢ部の拡大図においても第１系統電圧判定値２２に対し第１比較器３５のヒステリシス１Ｖを下回った所で第１検出回路２３の出力が「Ｌｏ」から「Ｈｉ」に転じるが、直流電圧Ｖ１の脈動でも第１系統電圧判定値２２を超えることがないので第１検出回路２３の出力に変化が生じない。同様に、図９（ｃ）に示すＣ部およびＤ部の拡大部においても、直流電圧Ｖ１が第２系統電圧判定値２４を超える際に起こる第２検出回路２５の出力も容易に論理が反転しない。
【００５７】
上述の状態において、第１検出回路２３の出力の判定が「Ｌｏ」で第２検出回路２５の出力の判定が「Ｈｉ」の場合に、この直流電源Ｖ１は第１系統電圧の２４Ｖであると系統電圧判断手段２９で判断される。また、第１検出回路２３の出力の判定が「Ｌｏ」で第２検出回路２５の出力の判定が「Ｌｏ」の場合に、この直流電源Ｖ１は第２系統電圧の４８Ｖであると系統電圧判断手段２９で判断される。
【００５８】
そして、系統電圧判断手段２９の判断による第１系統電圧の２４Ｖあるいは第２系統電圧の４８Ｖに応じて、前記ソフトウェア切り換え手段３０によりインバーター１８の駆動用ソフトウェア（図示せず）を第１統電圧の２４Ｖあるいは第２系統電圧の４８Ｖに応じたソフトウェアに切り換えて、第１の送風ファン１２および第２の送風ファン１３を第１系統電圧の２４Ｖあるいは第２系統電圧の４８Ｖに応じた最適な駆動を行う。
【００５９】
以上、本実施形態においては、上述したごとく、第１検出回路２３および第２検出回路２５に用いた第１比較器３５および第２比較器３６の基準電圧にヒステリシスを設けたことにより、重畳されたリプル電圧あるいは発生する高周波成分の誘起電圧が見られる直流電圧Ｖ１の状態で系統電圧を正しく判断する簡単な構成で複数の系統電圧を検知する制御装置を備えることができるので、制御装置を複数の系統電圧にて共用することが可能となり大幅にコストダウンした発熱体収納装置用冷却装置を提供でき、また、重畳されたリプル電圧あるいは発生する高周波成分の誘起電圧が見られる直流電圧Ｖ１の状態で系統電圧を正しく判断する電気的ノイズの影響を受け難い電気的ノイズの耐性を持たせた回路とすることで、発熱体収納装置用冷却装置６の継続的な冷却動作を提供することができ、さらに、絶縁素子としてフォトカプラを使用したことにより電気的ノイズの耐性を持たせた回路を合わせて提供することができる。
【００６０】
なお、本実施の形態のように系統電圧が一方の２４Ｖと他方の４８Ｖの二つに対応するためにインバーター１８の許容電流値が一方に対して他方が１／２倍となることから、インバータ−１８を含めた共用化が難しい場合もある。そのような場合は、制御装置１５はインバータ−１８とそれを制御するメイン基板１９とから構成されているので、メイン基板１９のみを共用化して複数の系統電圧に対応することもでき、同様にコストダウンを図ることができる。この場合、実装されているインバーター１８が系統電圧２４Ｖ専用では、直流電源Ｖ１の系統電圧が４８Ｖと判断されると、前記ソフトウェア切り換え手段３０によりインバーター１８の運転を中止するとともにインバーター１８への給電をリレー（図示せず）などにより遮断し、インバーター１８の破壊を防ぎ、また、実装されているインバーター１８が系統電圧４８Ｖ専用では、直流電源Ｖ１の系統電圧が２４Ｖと判断されると、前記ソフトウェア切り換え手段３０によりインバーター１８の運転を中止し、インバーター１８の破壊を防げば良い。
【００６１】
（実施の形態３）
実施の形態１および実施の形態２と同一構成部分については、理解を容易にするために、同一符号を用い、その詳細な説明を簡略化する。
【００６２】
図１０に示すように、電圧監視手段２１は、直流電源１７の直流電圧Ｖ１として第１系統電圧を検出して第１の送風ファン１２と第２の送風ファン１３を動作させる閾値としての第１系統電圧下限判定値３８を有する検出回路として第１検出回路２３と、第１系統電圧上限判定値３９を有する検出回路として第２検出回路２５と、第２系統電圧を検出して第１の送風ファン１２と第２の送風ファン１３を動作させる閾値としての第２系統電圧下限判定値４０を有する検出回路として第３検出回路４１と、第２系統電圧上限判定値４２を有する検出回路として第４検出回路４３に接続される。
【００６３】
また、この電圧監視手段２１は、供給される直流電圧Ｖ１、すなわち系統電圧を判別する系統電圧判断手段２９に接続され、その判別に応じて、運転指示手段２７への指示を出すソフトウェア切り換え手段３０を有するものである。
【００６４】
また、図１１に示すように、第１検出回路２３、第２検出回路２５、第３検出回路４１および第４検出回路４３は、それぞれ直流電源１７を二つの抵抗器で分圧して入力される第１下限電圧比較器４４、第１上限電圧比較器４５、第２下限電圧比較器４６および第２上限電圧比較器４７とその基準電圧すなわち第１系統電圧下限判定値３８、第１系統電圧上限判定値３９、第２系統電圧下限判定値４０および第２系統電圧上限判定値４２が直流電源１７に接続した比較器用安定化電源（ここでは＋１２Ｖ）３７と回路グランドとの間に設けた二つの抵抗器により分圧して前記第１下限電圧比較器４４、第１上限電圧比較器４５、第２下限電圧比較器４６および第２上限電圧比較器４７に入力され、これら第１下限電圧比較器４４、第１上限電圧比較器４５、第２下限電圧比較器４６および第２上限電圧比較器４７の出力に接続した第１の絶縁素子、第２の絶縁素子、第３の絶縁素子、第４の絶縁素子としてのフォトカプラ３３、３４、４８、４９で構成し、「Ｈｉ」「Ｌｏ」の信号を電圧監視手段２１へ送信するように構成するものである。
【００６５】
すなわち、第１検出回路２３は、第１系統電圧下限判定値３８が前記直流電源１７に接続された二つの抵抗器に印加されたときに前記第１下限電圧比較器４４の基準電圧を超えるように抵抗器の分圧比を設定したもので、その閾値を越えたときに第１下限電圧比較器３４４の出力は、「Ｌｏ」となり、フォトカプラ３３の入力側の発光ダイオード点灯させるものである。そして、電圧監視手段２１へ「Ｌｏ」の信号を伝達するように構成する。同様に第２検出回路２５は、第１系統電圧上限判定値３９が前記直流電源１７に接続された二つの抵抗器に印加されたときに前記第１上限電圧比較器４５の基準電圧を超えるように抵抗器の分圧比を設定したもので、その閾値を越えたときに第１上限電圧比較器４５の出力は、「Ｌｏ」となり、フォトカプラ３４の入力側の発光ダイオード点灯させるものである。そして、電圧監視手段２１へ「Ｌｏ」の信号を伝達するように構成する。同様に第３検出回路４１は、第２系統電圧下限判定値４０が前記直流電源１７に接続された二つの抵抗器に印加されたときに前記第２下限電圧比較器４６の基準電圧を超えるように抵抗器の分圧比を設定したもので、その閾値を越えたときに第２下限電圧比較器４６の出力は、「Ｌｏ」となり、フォトカプラ４８の入力側の発光ダイオード点灯させるものである。そして、電圧監視手段２１へ「Ｌｏ」の信号を伝達するように構成する。同様に第４検出回路４３は、第２系統電圧上限判定値４２が前記直流電源１７に接続された二つの抵抗器に印加されたときに前記第２上限電圧比較器４７の基準電圧を超えるように抵抗器の分圧比を設定したもので、その閾値を越えたときに第２上限電圧比較器４７の出力は、「Ｌｏ」となり、フォトカプラ４９の入力側の発光ダイオード点灯させるものである。そして、電圧監視手段２１へ「Ｌｏ」の信号を伝達するように構成する。
【００６６】
そして、一般に直流電源１７の電圧は、系統電圧として２４Ｖと４８Ｖが用いられることから、本実施の形態では、その一方である第１系統電圧を２４Ｖとし、その他方である第２系統電圧を４８Ｖとして、第１系統電圧下限判定値３８を１６Ｖ、第１系統電圧上限判定値３９を１７Ｖ、第２系統電圧下限判定値４０を３６Ｖおよび第２系統電圧上限判定値４２を３７Ｖとしている。
【００６７】
上記構成において、図１２に示すように直流電源１７の投入により直流電圧Ｖ１が上昇してくると第１検出回路２３の出力が第１系統電圧下限判定値３８の１６Ｖを超えて「Ｈｉ」から「Ｌｏ」に転じる。更に上昇を続け、第２検出回路２５の出力が第１系統電圧上限判定値３９の１７Ｖを超えて「Ｈｉ」から「Ｌｏ」に転じる。更に上昇を続けるが、例えば電源投入による各通信機器の動作により負荷変動などで、一旦、直流電圧Ｖ１が減少となり第１系統電圧上限判定値３９の１７Ｖを下回ると第２検出回路２５の出力が「Ｌｏ」から「Ｈｉ」に戻り、更に直流電圧Ｖ１が減少を続け第１系統電圧下限判定値３８の１６Ｖを下回ると第１検出回路２３の出力が「Ｌｏ」から「Ｈｉ」に戻る。再び直流電圧Ｖ１が上昇し、第１系統電圧下限判定値３８の１６Ｖを超えると第１検出回路２３の出力は「Ｈｉ」から「Ｌｏ」に再び転じ、更に上昇を続け、第１系統電圧上限判定値３９の１７Ｖを超えると第２検出回路２５の出力は「Ｈｉ」から「Ｌｏ」に再び転じ、以降、第１系統電圧上限判定値３９の１７Ｖを下回らない限り、第２検出回路２５の出力は「Ｌｏ」を維持する。一方、第３検出回路４１の出力は、第２系統電圧下限判定値４０の３６Ｖを超えるまでは「Ｈｉ」を維持し、超えると「Ｌｏ」に転じる。更に、直流電圧Ｖ１の上昇が続き第２系統電圧上限判定値４２の３７Ｖを超えると第４検出回路４３の出力は「Ｈｉ」から「Ｌｏ」に転じる。その後、直流電圧Ｖ１が減少して第２系統電圧上限判定値４２の３７Ｖを下回ると第４検出回路４３の出力は「Ｈｉ」となり、更に減少が続き、第２系統電圧下限判定値４０の３６Ｖを下回ると第３検出回路４１の出力は「Ｈｉ」となる。再び直流電圧Ｖ１が上昇し第２系統電圧下限判定値４０の３６Ｖを超えると第３検出回路４１の出力は「Ｈｉ」から「Ｌｏ」に再び転じ、更に上昇を続け、第２系統電圧上限判定値４２の３７Ｖを超えると第４検出回路４３の出力は「Ｈｉ」から「Ｌｏ」に再び転じ、以降、第２系統電圧上限判定値４２の３７Ｖを下回らない限り、第４検出回路４３の出力は「Ｌｏ」を維持する。
【００６８】
ここで、図１２（ａ）に示すＡ部、すなわち直流電圧Ｖ１が第１系統電圧下限判定値３８および第１系統電圧上限判定値３９を超える際に起こる第１検出回路２３および第２検出回路２５の出力の変化について詳細な説明を付け加えると、図１２（ｂ）に示すＡ部の拡大図のように、直流電圧Ｖ１は脈動しているため、短い期間に第１系統電圧下限判定値３８および第１系統電圧上限判定値３９を超えたり下回ったりして、第１検出回路２３および第２検出回路の出力は「Ｈｉ」と「Ｌｏ」を交互に頻繁に繰り返している。また、直流電圧Ｖ１が第１系統電圧下限判定値３８および第１系統電圧上限判定値３９を下回る際に起こる第１検出回路２３および第２検出回路２５の出力の変化を見てみると、図１２（ｂ）に示すＢ部の拡大図のように、直流電圧Ｖ１は脈動しているため、短い期間に第１系統電圧下限判定値３８および第１系統電圧上限判定値３９を超えたり下回ったりして、第１検出回路２３および第２検出回路２５の出力は「Ｈｉ」と「Ｌｏ」を交互に頻繁に繰り返している。同様に、直流電圧Ｖ１が第２系統電圧下限判定値４０および第２系統電圧上限判定値４２を超える際に起こる第３検出回路４１および第４検出回路４３の出力の変化を見てみると、図１２（ｃ）に示すＣ部の拡大図のように、直流電圧Ｖ１は脈動しているため、短い期間に第２系統電圧下限判定値４０および第２系統電圧上限判定値４２を超えたり下回ったりして、第３検出回路４１および第４検出回路４３の出力は「Ｈｉ」と「Ｌｏ」を交互に頻繁に繰り返している。また、直流電圧Ｖ１が第２系統電圧下限判定値４０および第２系統電圧上限判定値４２を下回る際に起こる第３検出回路４１および第４検出回路４３の出力の変化を見てみると、図１２（ｃ）に示すＤ部の拡大図のように、直流電圧Ｖ１は脈動しているため、短い期間に第２系統電圧下限判定値４０および第２系統電圧上限判定値４２を超えたり下回ったりして、第３検出回路４１および第４検出回路４３の出力は「Ｈｉ」と「Ｌｏ」を交互に頻繁に繰り返している。
【００６９】
この様な電源電圧Ｖ１の変動により「Ｈｉ」「Ｌｏ」を交互に頻繁に繰り返す変化点を加味し、前記第２検出回路２５の出力が「Ｈｉ」から「Ｌｏ」に変化した時点で直流電圧Ｖ１は第１系統電圧の２４Ｖの電圧範囲となったと電圧監視手段２１が第１の判定を行い、以降、前記第１検出回路２３の出力が「Ｌｏ」から「Ｈｉ」に変化しない限り、電圧監視手段２１はこの第１の判定を変えない。そして、前記第４検出回路４３の出力が「Ｈｉ」から「Ｌｏ」に変化した時点で直流電圧Ｖ１は第２系統電圧の４８Ｖの電圧範囲となったと電圧監視手段２１が第２の判定を行い、以降、前記第３検出回路４１の出力が「Ｌｏ」から「Ｈｉ」に変化しない限り、電圧監視手段２１はこの第２の判定を変えない。また、この逆に前記第１検出回路２３の出力が「Ｌｏ」から「Ｈｉ」に変化した時点で直流電圧Ｖ１は第１系統電圧の２４Ｖの電圧範囲を下回ったと電圧監視手段２１が第３の判定を行い、以降、前記第２検出回路２５の出力が「Ｈｉ」から「Ｌｏ」に変化しない限り、電圧監視手段２１はこの第３の判定を変えない。そして、前記第３検出回路４１の出力が「Ｌｏ」から「Ｈｉ」に変化した時点で直流電圧Ｖ１は第２系統電圧の４８Ｖの電圧範囲を下回ったと電圧監視手段２１が第４の判定を行い、以降、前記第４検出回路４３の出力が「Ｈｉ」から「Ｌｏ」に変化ない限り、電圧監視手段２１はこの第４の判定を変えない。
【００７０】
上述の状態において、上記の第１の判定、第２の判定、第３の判定および第４の判定の組み合わせを使って、系統電圧判断手段２９は電源電圧直流電圧Ｖ１の系統電圧を以下の様に判断する。すなわち、直流電圧Ｖ１が第１系統電圧の２４Ｖの電圧範囲となったとする第１の判定時において、直流電圧Ｖ１は第２系統電圧の４８Ｖの電圧範囲となったとする第２の判定が生じた場合には、直流電圧Ｖ１の系統電圧は第２系統電圧の４８Ｖであると系統電圧判断手段２９は判断する。また、直流電圧Ｖ１が第１系統電圧の２４Ｖの電圧範囲となったとする第１の判定時において、直流電圧Ｖ１は第２系統電圧の４８Ｖの電圧範囲を下回っているとする第４の判定が生じた場合には、直流電圧Ｖ１の系統電圧は第１系統電圧の２４Ｖであると系統電圧判断手段２９は判断する。それ以外の第１の判定、第２の判定、第３の判定および第４の判定の組み合わせが生じた場合は、直流電圧Ｖ１は想定されていない系統電圧であると系統電圧判断手段２９は判断する。
【００７１】
そして、系統電圧判断手段２９の判断による第１系統電圧の２４Ｖあるいは第２系統電圧の４８Ｖに応じて、前記ソフトウェア切り換え手段３０によりインバーター１８の駆動用ソフトウェア（図示せず）を第１統電圧の２４Ｖあるいは第２系統電圧の４８Ｖに応じたソフトウェアに切り換えて、第１の送風ファン１２および第２の送風ファン１３を第１系統電圧の２４Ｖあるいは第２系統電圧の４８Ｖに応じた最適な駆動を行う。
【００７２】
以上、本実施形態においては、上述したごとく、直流電圧Ｖ１の脈動により第１系統電圧上限判定値３９、第１系統電圧下限判定値３８、第２系統電圧上限判定値４２および第２系統電圧下限判定値４０付近での第１検出回路２３、第２検出回路２５、第３検出回路４１および第４検出回路４３の出力が「Ｈｉ」「Ｌｏ」を繰り返す不安定状態となるが、各検出回路の出力が「Ｈｉ」から「Ｌｏ」あるいは「Ｌｏ」から「Ｈｉ」へと論理が変化する変化点の組み合わせにより直流電圧Ｖ１の電圧の判定を行い、且つ、それら判定を組み合わせることにより、直流電圧Ｖ１が脈動した状態においても系統電圧を正しく判断する簡単な構成で複数の系統電圧を検知する制御装置を備えることができるので、制御装置を複数の系統電圧にて共用することが可能となり大幅にコストダウンした発熱体収納装置用冷却装置を提供でき、また、直流電圧Ｖ１の脈動により各系統電圧判定値付近での各検出回路の出力が「Ｈｉ」「Ｌｏ」を繰り返す不安定状態となるが、各検出回路の出力の「Ｈｉ」から「Ｌｏ」あるいは「Ｌｏ」から「Ｈｉ」の論理変化のみを直流電圧Ｖ１の電圧の判定とし、且つ、それら判定を組み合わせることにより、直流電圧Ｖ１が脈動した状態においても系統電圧を正しく判断することで直流電圧Ｖ１に重畳されたリプル電圧あるいは発生する高周波成分の誘起電圧といった電気的ノイズの影響を受け難い電気的ノイズの耐性を持たせた回路とすることで、発熱体収納装置用冷却装置６の継続的な冷却動作を提供することができ、さらに、絶縁素子としてフォトカプラを使用したことにより電気的ノイズの耐性を持たせた回路を合わせて提供することができる。
【００７３】
なお、本実施の形態のように系統電圧が一方の２４Ｖと他方の４８Ｖの二つに対応するためにインバーター１８の許容電流値が一方に対して他方が１／２倍となることから、インバータ−１８を含めた共用化が難しい場合もある。そのような場合は、制御装置１５はインバータ−１８とそれを制御するメイン基板１９とから構成されているので、メイン基板１９のみを共用化して複数の系統電圧に対応することもでき、同様にコストダウンを図ることができる。この場合、実装されているインバーター１８が系統電圧２４Ｖ専用では、直流電源Ｖ１の系統電圧が４８Ｖと判断されると、前記ソフトウェア切り換え手段３０によりインバーター１８の運転を中止するとともにインバーター１８への給電をリレー（図示せず）などにより遮断し、インバーター１８の破壊を防ぎ、また、実装されているインバーター１８が系統電圧４８Ｖ専用では、直流電源Ｖ１の系統電圧が２４Ｖと判断されると、前記ソフトウェア切り換え手段３０によりインバーター１８の運転を中止し、インバーター１８の破壊を防げば良い。
【００７４】
（実施の形態４）
実施の形態１、実施の形態２および実施の形態３と同一構成部分については、理解を容易にするために、同一符号を用い、その詳細な説明を簡略化する。
【００７５】
図１３に示すように、図４の構成に加えて報知手段としてのＬＥＤ５０を制御装置１５に備えたものである。
【００７６】
上記構成において、系統電圧判断手段２９の直流電圧Ｖ１の系統電圧の判断に基づく結果をＬＥＤ５０を点滅あるいは点灯させる。すなわち、第１系統電圧の２４Ｖと判断した場合にはこのＬＥＤ５０を点滅させ、第２系統電圧の４８Ｖと判断した場合にはこのＬＥＤ５０を点灯させる。
【００７７】
以上、本実施形態においては、上述したごとく、系統電圧判断手段２９の系統電圧の判断に基づきＬＥＤ５０を点滅あるいは点灯させ、それを視認することにより、設置した基地局の直流電源の系統電圧を報知することで正しく直流電源の系統電圧を判断しているのか施工時などの作業者が認知することができる発熱体収納装置用冷却装置を提供できる。
【産業上の利用可能性】
【００７８】
以上のように本発明は、第一の直流電圧を検出して第１、第２の送風ファンを運転させる第１電圧検出値と前記第１、第２の送風ファンを停止させる第２電圧検出値と、第二の直流電圧を検出して前記第１、第２の送風ファンを運転させる第３電圧検出値と前記第１、第２の送風ファンを停止させる第４電圧検出値を備え、発熱体収納装置から供給される直流電圧を監視しながら前記第１、第２の送風ファンの運転停止を制御する制御装置を備え、一つの制御装置で複数の電源電圧に対応させることができ大幅なコストダウンをした発熱体収納装置用冷却装置を提供することができる。従って、例えば、通信装置器の基地局や、その他屋外設置機器における冷却設備としてきわめて有用なものとなる。
【図面の簡単な説明】
【００７９】
【図１】本発明の一実施形態の設置例を示す斜視図
【図２】同発熱体収納装置用冷却装置の断面図
【図３】同発熱体収納装置用冷却装置の構成図
【図４】実施の形態１の同制御装置の構成図
【図５】実施の形態１の同制御装置検出回路の構成図
【図６】実施の形態１の同検出回路の動作を説明する図（（ａ）直流電源の投入により直流電圧Ｖ１が上昇してきたときの動作を説明する図、（ｂ）Ａ部とＢ部の拡大図、（ｃ）Ｃ部とＤ部の拡大図）
【図７】実施の形態２の制御装置の構成図
【図８】実施の形態２の制御装置検出回路の構成図
【図９】実施の形態２の検出回路の動作を説明する図（（ａ）直流電源の投入により直流電圧Ｖ１が上昇してきたときの動作を説明する図、（ｂ）Ａ部とＢ部の拡大図、（ｃ）Ｃ部とＤ部の拡大図）
【図１０】実施の形態３の制御装置の構成図
【図１１】実施の形態３の制御装置検出回路の構成図
【図１２】実施の形態３の検出回路の動作を説明する図（（ａ）直流電源の投入により直流電圧Ｖ１が上昇してきたときの動作を説明する図、（ｂ）Ａ部とＢ部の拡大図、（ｃ）Ｃ部とＤ部の拡大図）
【図１３】実施の形態４の制御装置の構成図
【符号の説明】
【００８０】
１    ビルディング
２    屋上
３    携帯電話の基地局
４    キャビネット
５    通信装置
６    発熱体収納装置用冷却装置
７    第１吸気口
８    第１吐出口
９    第２吸気口
１０  第２吐出口
１１  本体ケース
１２  第１の送風ファン
１３  第２の送風ファン
１４  熱交換器
１５  制御装置
２１  電圧監視手段
２２  第１系統電圧判定値
２３  第１検出回路
２４  第２系統電圧判定値
２５  第２検出回路
２９  系統電圧判断手段
３８  第１系統電圧下限判定値
３９  第１系統電圧上限判定値
４０  第２系統電圧下限判定値
４１  第３検出回路
４２  第２系統電圧上限判定値
４３  第４検出回路
５０  ＬＥＤ
【図１】
2010147372.tif 000003
【図２】
2010147372.tif 000004
【図３】
2010147372.tif 000005
【図４】
2010147372.tif 000006
【図５】
2010147372.tif 000007
【図６】
2010147372.tif 000008
【図７】
2010147372.tif 000009
【図８】
2010147372.tif 000010
【図９】
2010147372.tif 000011
【図１０】
2010147372.tif 000012
【図１１】
2010147372.tif 000013
【図１２】
2010147372.tif 000014
【図１３】
2010147372.tif 000015